(57)【要約】【課題】トンネルの内壁面に覆工コンクリートを打設するときに、検査が必要な打設空間内におけるコンクリートの充填状況を、トンネルの内側から直接目視できるトンネル用型枠を提供することを目的とする。【解決手段】トンネル１０の内壁面に覆工コンクリート１２を打設する打設空間１３を形成するために用いられるトンネル用型枠２０であって、覆工コンクリート１２が坑口から逐次打設されるものであり、トンネル１０の肩口から天頂にあたる部位にあり、かつ、オーバーラップ部２８と打設口２６との間にある目視による検査が必要な打設空間２０に接する要検査部位のみに、透明素材からなりトンネルの内側から打設空間１３を目視できる透明検査窓３０を設けたことを特徴とする。【選択図】図１
2009091751.tif 000002
【特許請求の範囲】
【請求項１】
トンネルの内壁面に覆工コンクリートを打設する打設空間を形成するために用いられるトンネル用型枠であって、
目視による検査が必要な前記打設空間に接する要検査部位のみに、透明素材からなりトンネルの内側から該打設空間を目視できる透明検査窓を設けたことを特徴とするトンネル用型枠。
【請求項２】
前記要検査部位がトンネルの肩口から天頂にあたる部位にある請求項１記載のトンネル用型枠。
【請求項３】
前記覆工コンクリートが坑口から逐次打設されるものであり、前記要検査部位が既設の覆工コンクリートのトンネル内面を覆うため、前記トンネル用型枠の坑口側の端部に設けられているオーバーラップ部と、前記打設空間内に生コンクリートを流し込むため、該トンネル用型枠に設けられている打設口との間にある請求項１又は２記載のトンネル用型枠。
【請求項４】
前記透明検査窓がトンネルの内側へ外せるように取付られている請求項１〜３のいずれか一項に記載のトンネル用型枠。
【発明の詳細な説明】
【技術分野】
【０００１】
本発明は、トンネルの内壁面に覆工コンクリートを打設するための型枠に関するものである。
【背景技術】
【０００２】
一般に、トンネル内壁面をコンクリートで覆工する場合に、特許文献１記載のようなセントル台車に設けられているアーチ形状の型枠を用い、坑口から逐次、型枠が設けられた区間毎に、覆工コンクリートの打設を行うことがある。
このような型枠を用いて覆工コンクリートを打設する場合、トンネル内壁の側部から肩部にかけては、型枠の外周の状態等を確認するために、トンネル内壁の側部等にあたる部位の型枠に開口している開閉式（開閉蓋を有する）のオール検査窓から生コンクリートを流し込み、覆工コンクリートを立ち上げている。そして、オール検査窓の位置よりも上方にあたるトンネル内壁の天頂部は、打設空間に生コンクリートを流し込むために、型枠の最頂部に設けられている打設口に生コンクリートを圧送するための管を取り付け生コンクリートを流し込んで行っている。
【０００３】
しかし、打設口は、既設の覆工コンクリートの端面から０．５〜１．０ｍくらい離れたところに設けられているため、既設の覆工コンクリートの端面から打設口にかけてのトンネル内壁の天頂部は、空気が残り易くコンクリートの充填不良が起こり易い。その上、天頂部においてトンネルの内側は打設空間の下方になるため、開閉式の検査窓を設けても開閉蓋を開けてコンクリートの充填状況を確認することができない。そのため、確認する手段としては、打設空間内の空気を抜くために設けられているエアー抜き金具からの生コンクリートの漏れ具合や、打設口への生コンクリートの圧送の停止等による、間接的な方法で確認するしかなく、経験と勘が必要となる。そのため、コンクリートの充填状況に応じて、バイブレータの挿入等の適切な対応を取ることが難しかった。
【特許文献１】特開２０００−３０３７９５号公報
【発明の開示】
【発明が解決しようとする課題】
【０００４】
そこで、本発明は、トンネルの内壁面に覆工コンクリートを打設するときに、検査が必要な打設空間内におけるコンクリートの充填状況を、トンネルの内側から直接目視できるトンネル用型枠を提供することを目的とする。
【課題を解決するための手段】
【０００５】
上記目的を達成するため、本発明のトンネル用型枠は、トンネルの内壁面に覆工コンクリートを打設する打設空間を形成するために用いられるトンネル用型枠であって、目視による検査が必要な打設空間に接する要検査部位のみに、透明素材からなりトンネルの内側から打設空間を目視できる透明検査窓を設けたことを特徴とする。
【０００６】
覆工コンクリートとしては、特に限定はされないが、掘削された岩盤面に直に接する一次覆工コンクリートであってもよいし、一次覆工コンクリートの内側（トンネル側）に設けられる二次覆工コンクリートであってもよい。また、坑口から逐次打設されることが好ましい。また、補強用鉄筋を内部に有していてもよいし、有していなくてもよい。
【０００７】
要検査部位は、特に限定はされないが、型枠の外周面（打設空間と接する面）が湾曲していることで型枠に開口している既存の開閉式の検査窓からの検査が難しい、トンネルの肩口から天頂にあたる部位や、覆工コンクリートが坑口から逐次打設され場合には、既設の覆工コンクリートの端面から打設空間内に生コンクリートを流し込んでいる打設口までの間において、コンクリートの充填不良が起こり易いことから、既設の覆工コンクリートのトンネル内面を覆うため、トンネル用型枠の坑口側の端部に設けられているオーバーラップ部と、打設空間内に生コンクリートを流し込むため、トンネル用型枠に設けられている打設口との間等にある。
【０００８】
透明素材としては、特に限定はされないが、透明な樹脂等が好ましく、具体的には、ポリカーボネート樹脂、アクリル樹脂等が例示できる。
【０００９】
透明検査窓の態様としては、特に限定はされないが、トンネル用型枠に着脱不能に設けられている態様でもよいし、トンネル用型枠に着脱可能に設けられている態様でもよい。充填不良時等にバイブレータ等の挿入が容易であることから、トンネルの内側へ外せるように取付けられている態様が好ましい。
【発明の効果】
【００１０】
本発明によれば、トンネルの内壁面に覆工コンクリートを打設するときに、検査が必要な打設空間内におけるコンクリートの充填状況を、トンネルの内側から直接目視できるトンネル用型枠を提供することができる。
【発明を実施するための最良の形態】
【００１１】
トンネルの内壁面に覆工コンクリートを打設する打設空間を形成するために用いられるトンネル用型枠であって、
覆工コンクリートが坑口から逐次打設されるものであり、
トンネルの肩口から天頂にあたる部位にあり、かつ、既設の覆工コンクリートのトンネル内面を覆うため、トンネル用型枠の坑口側の端部に設けられているオーバーラップ部と、打設空間内に生コンクリートを流し込むため、トンネル用型枠に設けられている打設口との間にある目視による検査が必要な打設空間に接する要検査部位のみに、透明素材からなりトンネルの内側から打設空間を目視できる透明検査窓をトンネルの内側へ外せるように取付けられていることを特徴とするトンネル用型枠。
【実施例１】
【００１２】
以下、本実施例のトンネル用型枠２０を図面に基づいて説明する。
図１〜４に示すように、地山を掘削して形成された略蒲鉾状の掘削孔であるトンネル１０の内面には、コンクリートを吹き付けることにより一次覆工コンクリート１１が形成されている。この一次覆工コンクリート１１の内側には、二次覆工コンクリート１２が坑口から逐次打設されるようになっている。二次覆工コンクリート１２は、一次覆工コンクリート１１の内面と、セントル台車４０によって支持された本実施例のトンネル用型枠２０の外周面とによって囲まれるようにして形成された打設空間１３に、生コンクリートを流し込むことにより打設される。なお、二次覆工コンクリート１２は、坑口から逐次打設されるため、打設空間１３のトンネル長さ方向の一端（坑口側）は既設の二次覆工コンクリート１２の端面１２ｂで塞がれ、他端（切羽側）は流し込んだ生コンクリートの流出を防止するために設けられている妻型枠１４で塞がれている。
【００１３】
図２に示すように、セントル台車４０は、作業者が作業等を行うための足場となる台面４１と、トンネルの床面に敷設された床レール４２上に設置され、床レール４２上を転動する車輪４３と、本実施例のトンネル用型枠２０を保持するターンパックル４５と、本実施例のトンネル用型枠２０を昇降するジャッキ４６とを備えている。
【００１４】
図１〜３に示すように、本実施例のトンネル用型枠２０は、台面４１に突設している支柱４７によって支えられ、トンネル１０の肩口から天頂にあたる部位を覆い、トンネル径方向断面形状が略円弧状の天頂部２１と、天頂部２１のトンネル周方向両端に連結され、トンネル１０の肩口から下方の部位を覆い、トンネル径方向断面形状が略円弧状の一対の側部２２と、既設の二次覆工コンクリート１２のトンネル内面を覆うため、本実施例のトンネル用型枠２０の坑口側の端部に設けられているオーバーラップ部２８とを有する。また、天頂部２１と側部２２は、共に略この断面形状のままトンネル長さ方向に延びている。
【００１５】
天頂部２１及び側部２２は、それぞれ打設空間１３と接する表層部２３と、表層部２３を補強するため、表層部２３の打設空間１３に接する面と反対の面に着接されたスチフナー２４と、を有する。
【００１６】
側部２２には、外周の状態等を確認するため、複数の開閉式のオール検査窓２５が開口している。各オール検査窓２５には、生コンクリート充填時等に生コンクリートの流出を防止するための開閉蓋２５ａが設けられている。
【００１７】
天頂部２１には、打設空間１３に流し込む生コンクリートを圧送するための管の先端を取り付け、そこから打設空間１３内に生コンクリートを流し込むための打設口２６が最頂部に二ヶ所開口している。また、トンネル長さ方向に位置を変えた最頂部には、複数の開閉式の天検査窓２７が開口している。各天検査窓２７には、オール検査窓２５と同じく、生コンクリート充填時等に生コンクリートの流出を防止するための開閉蓋２７ａが設けられている。
【００１８】
さらに、オーバーラップ部２８と、既設の二次覆工コンクリート１２の端面１２ｂに一番近い打設口２６との間には、透明検査窓３０がトンネル径方向の同一断面上に４つ設けられている。
【００１９】
図４に示すように、透明検査窓３０は、略正方形の板状のポリカーボネート樹脂からなる窓板３１と、窓板３１の周囲の四辺を取り囲んで補強し、窓板３１が嵌合している枠状の窓フレーム３２とを有する。窓フレーム３２は、透明検査窓３０の設置場所として天頂部２１に設けられた四箇所の開口にそれぞれトンネルの内側へ外せるよう、四隅がボルト３４及び固定片３５を介してスチフナー２４に固定されている。なお、窓フレーム３２をトンネルの内側へ外せるよう開口に固定する方法は、ボルトを用いる方法以外のフレーム等を着脱可能に固定する一般的な方法でもよい。
【００２０】
本実施例のトンネル用型枠２０によれば、次の（ａ）〜（ｅ）の効果が得られる。
（ａ）既設の二次覆工コンクリート１２の端面１２ｂから打設口２６にかけての天頂部２１に透明検査窓３０を設けることにより、トンネルの内壁面に二次覆工コンクリート１２を打設するときに、空気が残りコンクリートの充填不良が起こり易い打設空間１３内の充填状況をトンネルの内側から直接目視できる。
（ｂ）充填不良が起こり易い部位を直接目視できることにより、バイブレータの挿入等の充填不良への対応が適切に行える。
（ｃ）窓フレーム３２により補強された窓板３１を透明検査窓３０として、コンクリートの充填不良が起こり易いため検査が必要な天頂部２１の一部のみに設けることで、窓板３１を薄くでき、かつ、透明な樹脂であるポリカーボネート樹脂の使用量を少なくできる。
（ｄ）透明な窓板３１が嵌合している窓フレーム３２を、天頂部２１の開口にそれぞれボルト３４により固定していることで、繰り返し使用することにより透明な窓板３１が劣化（曇り）した場合等に容易に交換することができる。
（ｅ）透明検査窓３０をトンネルの内側へ外せるように取付けられていることから、充填不良時等に透明検査窓３０を外し、そこからバイブレーター等の挿入を行える。
【実施例２】
【００２１】
図５、６に示すように、本実施例のトンネル用型枠５０は、実施例１のトンネル用型枠２０の態様と比べ、透明検査窓５１の態様が異なる以外は、同じである。従って、実施例１と異なる透明検査窓５１についてのみ説明する。
【００２２】
透明検査窓５１は、オーバーラップ部２８と既設の二次覆工コンクリート１２の端面１２ｂに一番近い打設口２６との間の天頂部２１に、端面１２ｂに沿うよう、最頂部付近から肩口部にかて帯状に設けられている。
【００２３】
透明検査窓５１には、略矩形であり、打設空間１３に接する面の反対の面に略「目」の字状のリブ５２ｃを有するポリカーボネートからなる窓板５２を、この窓板５２の長手方向に沿い、リブ５２ｃを有する面から当接して補強する箱状の窓フレーム５３に、ネジ５４により取着させたものが嵌合している。
【００２４】
本実施例のトンネル用型枠５０によれば、上記（ａ）〜（ｄ）の効果に加え、さらに次の（ｆ）の効果が得られる。
（ｆ）透明検査窓５１が最頂部付近から肩口部にかて帯状に設けられることで、打設空間１３内におけるコンクリートの充填状況をトンネルの内側から直接目視できる範囲が広くなる。
【００２５】
なお、本発明は前記実施例に限定されるものではなく、発明の趣旨から逸脱しない範囲で適宜変更して具体化することもできる。
【図面の簡単な説明】
【００２６】
【図１】本発明の実施例１のトンネル用型枠の斜視図である。
【図２】同トンネル用型枠を用いたセントル台車の正面図である。
【図３】同トンネル用型枠を用いたトンネルの最頂部付近の長さ方向の断面図である。
【図４】同トンネル用型枠の透明検査窓の拡大図である。
【図５】本発明の実施例２のトンネル用型枠の斜視図である。
【図６】同トンネル用型枠の透明検査窓の拡大図である。
【符号の説明】
【００２７】
１０    トンネル
１２    二次覆工コンクリート
１３    打設空間
２０    トンネル用型枠
２１    天頂部
２６    打設口
２８    オーバーラップ部
３０    透明検査窓
３１    窓板
５０    トンネル用型枠
５１    透明検査窓
５２    窓板
【図１】
2009091751.tif 000003
【図２】
2009091751.tif 000004
【図３】
2009091751.tif 000005
【図４】
2009091751.tif 000006
【図５】
2009091751.tif 000007
【図６】
2009091751.tif 000008